(57)【要約】【課題】発熱源となる部品等を自由な位置に配置することができる医療装置用の筺体を提供する。【解決手段】対向する側壁４，７の一方の側壁４に設けた吸気用ダクト６に対して、他の一方の側壁７に吸気用ダクト６と非対称に排気用ダクト８を設ける。【選択図】  図４
2004350728.tif 000002
【特許請求の範囲】
【請求項１】
対向する側壁の一方の側壁に設けた吸気用ダクトに対して、他の一方の側壁に前記吸気用ダクトと非対称に排気用ダクトを設けたことを特徴とする医療装置用の筺体。
【発明の詳細な説明】
【０００１】
【発明の属する技術分野】
本発明は内視鏡装置その他の医療装置用の筺体に関する。
【０００２】
【従来の技術】
医療装置、例えば、内視鏡装置は、電子スコープと関連する光源装置、内視鏡用超音波観測装置、ビデオプリンタその他種々の装置から構成されているが、これらの装置内には、その目的に応じて電源回路、ＣＰＵ等の電気部品を実装した各種回路基板等の諸要素が設けられている。これらの諸要素の中には動作時に発熱源となって熱を発生するものもあり、通風によって冷却すると共に発熱源からの熱を装置外に排出するために、これらの装置の筺体には、ダクト、冷却ファンが設けられるのが普通である。
【０００３】
このような発熱源に対する通風冷却をするためのダクトは、従来、図１１に示すように設けられている。即ち、医療装置において、各種発熱源８１を内蔵した筺体８２の右側の側壁８３には２つの吸気用ダクト８４，８４を、左側の側壁８５には２つの排気用ダクト８６，８６を、両側壁８３，８５間で対称をなす位置に設けている。この場合に、前記の対称をなす位置とは、各ダクト８４，８６の形状、寸法が同一又は略同一であるときは、各ダクト８４，８６が、例えば筺体８２のフロントパネル８８の前端及び側壁８３，８５の底辺からの各距離を同一又は略同一にして配置されている位置をいう。
【０００４】
【発明が解決しようとする課題】
このような従来構造によると、吸気用ダクト８４から冷却ファン９０により導入されて図中の矢印によって示すように排気用ダクト８６に至る冷却風は、図中２点鎖線で示すように、両側壁８３，８５間の最短距離を通ることとなるため、吸気用ダクト８４とこれに対向する排気用ダクト８６を結ぶ線上に設けられた発熱源８１に対しては強い冷却風が当たって冷却効率がよいが、それ以外の場所の発熱源に対しては冷却風が弱くなり冷却効率が悪いという問題があった。
【０００５】
一方、近年の傾向として、医療装置において高性能化に伴って筺体内の発熱源の数が増加しており、例えば内視鏡装置においても電子スコープの照光用ランプの高輝度化やＣＰＵ等の電気部品の高性能化が進んで、その発熱量が増えているほか、発熱源となるような電気部品の使用個数が増加している。そのため、従来のようにダクトを対称に配置する構造によると、冷却効率との関係で筺体内で発熱源となる部品等を配置する場所に制約が発生して、無駄なスペースが増えることになり、例えば、装置の小型化を進める際等に障害となる問題も生じている。なお、前述したようなダクトの配置態様は、例えば特開平７−１９４５１５（特許文献１）においても示されている
本発明は、前記のような問題に鑑みてなされたもので、発熱源となる部品等を自由な位置に配置することができる医療装置用の筺体を提供することを目的とするものである。
【０００６】
【特許文献１】
特開平７−１９４５１５号公報
【０００７】
【課題を解決するための手段】
前記目的を達成するために、本発明に係る医療装置用の筺体は、対向する側壁の一方の側壁に設けた吸気用ダクトに対して、他の一方の側壁に前記吸気用ダクトと非対称に排気用ダクトを設けたことを特徴とするものである。
【０００８】
【発明の実施の形態】
以下、図面を参照しつつ本発明の実施の形態について説明する。図１から図５は、本発明の第一の実施の形態を示すもので、図１は内視鏡装置を構成する光源装置を示す斜視図、図２はその右側面図、図３はその左側面図、図４は前記装置の上壁を除いた状態の平面図、図５は前記装置のＬＥＤ表示部の拡大断面図である。これらの図面はいずれも概念的に描いたものである（後述する第二の実施の形態についての図面も同様である）。図１に示すように、光源装置１の筺体２の正面にはフロントパネル３が、対向する側壁の一方の側壁即ち右側の側壁４には２つの吸気用ダクト６が、側壁４と対向する他の一方の側壁即ち左側の側壁７には２つの排気用ダクト８が、それぞれ設けられている。吸気用ダクト６及び排気用ダクト８にはそれぞれ格子９が取り付けられている。これらのダクト６，８は同一又は略同一の形状及び寸法であるが、各側壁４，７に設ける位置は非対称となっている。即ち、右側の側壁４における２つの吸気用ダクト６は、前後方向が、それぞれフロントパネル３の前端から図２中のＡの距離及びＢの距離に、上下方向が、筺体２の底辺から図２中Ｃの距離に配置されているのに対して、左側の側壁７における２つの排気用ダクト８は、前後方向が、それぞれフロントパネル３の前端から図３中のＤの距離及びＥの距離に、上下方向が、筺体２の底辺から図３中Ｆの距離に配置されている。ここでは、距離Ｃと距離Ｆは同一であるが、図２から図４により明らかなように、右側の側壁４における距離Ａ，Ｂと左側の側壁７における距離Ｄ，Ｅとを異ならせることにより、吸気用ダクト６と排気用ダクト８とが非対称の位置になっている。なお、各ダクト６，８の高さ即ち距離Ｃと距離Ｆは同一でなく近似していてもよい。このような構造の筺体２内には、図４に示すように、光源装置を構成するための部品、基板、電源装置等の諸々の要素１１が収容されている。これらの要素１１中には動作時に発熱して高温になるものもあるため、筺体２内には、更に、２つの冷却ファン１３が吸気用ダクト６の前方にそれぞれ設けられている。
【０００９】
一方、筺体２の前面に設けられた前記フロントパネル３には、図１に示すように、メインスイッチ１４、メインスイッチ１４の動作を表示するＬＥＤ表示部１５、例えば楕円形の４つの操作スイッチ１６を有する操作パネル１７、内部の回路部品等の動作に連動した色を発光する横長のＬＥＤ表示部１８、電子スコープ用のコネクタ１９が設けられている。このＬＥＤ表示部１８は、操作パネル１７の近傍に設けられており、図５に示すような構造になっている（図５はフロントパネル３の横断面を表している）。即ち、基板２０に複数の異なった色の例えば２本のＬＥＤ２１，２２が実装されている。このＬＥＤ２１，２２は装置内の動作状況を表すためのもので、装置の動作に応じた複数の色で点灯するようになっている。例えば、ＬＥＤ２１，２２の色をそれぞれ赤と緑にし、点灯させる電圧を調整して発光量即ち発光する色の強さを調整し、且つ、その混ぜ合わせ具合を調整することにより、例えば、ＣＰＵ駆動中は緑、データ転送中はオレンジ、データ転送異常は赤というように装置の動作に連動して対応する色を発光させることができる。ＬＥＤ２１，２２は、基板２０に重ね合わせた半透明な拡散部材２３に形成した２つの凹部２４，２５の中に空隙２６，２７を保って収容されている。その状態で拡散部材２３の一部がフロントパネル３に形成された開口部２９にはめ込まれてＬＥＤ表示部１８の発光窓３０としてフロントパネル３より露出し、装置の内部動作の状況を表すＬＥＤ２１，２２の発光状態を外部から視認できるようにしている。その場合、発行窓３０には拡散部材２３によってＬＥＤ２１，２２の光が均一に見える。前記基板２０は、拡散部材２３をフロントパネル３との間に挟むようにして、フロントパネル３に設けられた柱３１に、例えばビス３２により固定されている。
【００１０】
このように構成された筺体２においては、図４に示すように、冷却ファン１３の作動により、筺体２の外部の空気が吸気用ダクト６から筺体２内に導入されて冷却風として、発熱源となる諸要素１１を冷却する。その後、冷却風は排気用ダクト８から筺体２の外部に排出される。既に述べたように、吸気用ダクト６と排気用ダクト８は非対称に配置されているので、冷却風の流れは冷却ファン１３の正面方向だけでなく、図４中の矢印Ｗによって示すように、筺体を斜め方向にも横断することとなり、且つ、斜め方向の流れに交差が生じることによって撹拌されるので、冷却風は筺体２内を広範囲に満遍なく流れて、前記諸要素１１に対する冷却効果が均一になる。従って、発熱源となる諸要素１１を従来よりも自由な形で分散配置することができるうえ、部品点数の増加にも対応できる。そのため、部品の形状、寸法、使用点数が同じであれば、医療装置を従来より小型化できることになる。
【００１１】
一方、前記筺体２のフロントパネル３におけるＬＥＤ表示部に関しては、従来は、装置の操作パネルやリアパネル等の筺体のどこかに単色のＬＥＤ又は複数の単色のＬＥＤを設け、装置の内部動作に合わせて、前者のＬＥＤを使用した場合には点灯、点滅、２回点滅等、又は、後者のＬＥＤを使用した場合には点灯、消灯の組み合わせによる発光表示をさせることによって、装置の内部動作状態を使用者に知らせているが、単色ＬＥＤ方式では、装置内の多くの動作に対応するには表示部の数を多くしなければならない、ＬＥＤの使用数に応じたスペースが必要になってコスト高になる、点滅回数を読み取る必要があるので一目で見たときに分かりにくいという問題があり、また、複数のＬＥＤを使用する方式においても、点滅回数の読み取りの必要性はないにしても、同様の問題があった。これに対して、本発明では、前述のようにＬＥＤ表示部１８を構成することにより、装置内の多くの動作に対応した表示を従来より少ない数の表示部（この実施の形態によれば、表示部の数は１つである）で行うことができ、しかも、表示部が少なくなって分かりやすくなったので、使用者が一目見て直ちに且つ容易に装置内の動作状態を知ることができる。なお、前記の内部動作表示用のＬＥＤは２本でなく３本に増やして、それぞれ、赤、緑、青の三原色とし、これらを適宜電圧調整して発光し混ぜ合わせることにより、より多くの色を表現できるようにして装置内の多様な動作に対応させることもできる。
【００１２】
次に本発明の第二の実施の形態について、図６から図１０を参照しながら説明する。図６は内視鏡装置の光源装置を示す斜視図、図７はその右側面図、図８はその左側面図、図９は前記装置の上壁を除いた状態の平面図、図１０は前記装置のＬＥＤ表示部の拡大断面図である。図６に示すように、光源装置４１の筺体４２の正面にはフロントパネル４３が、対向する側壁の一方の側壁即ち右側の側壁４４には２つの吸気用ダクト４６が、側壁４４と対向する他の一方の側壁即ち左側の側壁４７には３つの排気用ダクト４８が、それぞれ設けられている。吸気用ダクト４６及び排気用ダクト４８にはそれぞれ格子４９が取り付けられている。これらのダクト４６，４８は同一又は略同一の形状及び寸法であるが、各側壁４４，４７に設ける位置は非対称となっている。即ち、図７に示すように、右側の側壁４４における２つの吸気用ダクト４６は、前後方向が、それぞれフロントパネル４３の前端から図７中のＪの距離及びＫの距離に、上下方向が、筺体４２の底辺から図７中Ｌの距離に配置されているのに対して、左側の側壁４７における３つの排気用ダクト４８は、図８に示すように、前後方向が、それぞれフロントパネル４３の前端から図８中のＭ，Ｎ及びＯの距離に、上下方向が、筺体４２の底辺から図８中Ｐの距離に配置されている。ここでは、距離Ｌと距離Ｐは同一であるが、図７から図９により明らかなように、右側の側壁４４における距離Ｊ，Ｋと左側の側壁４７における距離Ｍ，Ｎとを、異ならせることにより、吸気用ダクト４６と排気用ダクト４８とが非対称の位置になっている。なお、各ダクト４６，４８の高さ即ち距離Ｌと距離Ｐは同一でなく近似していてもよい。このような構造の筺体４２内には、第一の実施の形態の場合と同じく、図９に示すように、光源装置を構成するための諸々の要素５１が収容されており、更に、２つの冷却ファン５３が吸気用ダクト４６の前方にそれぞれ設けられている。
【００１３】
一方、筺体４２の前面に設けられた前記フロントパネル４３には、メインスイッチ５４、メインスイッチ５４の動作を表示するＬＥＤ表示部５５、電子スコープ用のコネクタ５６、例えば楕円形の４つの操作スイッチ５７を有する操作パネル５８が設けられている。操作パネル５８には更に、装置内部の動作に連動した色を発光する横長のＬＥＤ表示部５９が一体的に設けられている。このＬＥＤ表示部５９は、図１０に示すような構造になっている（図１０はフロントパネル４３の横断面を表している）。即ち、操作パネル５８は次に述べる基板６０及びその実装部品等と一体になって一つのパネルユニットをなしており、フロントパネル４３に貼り付けるようになっている。操作パネル５８の基板６０には、複数の異なった色の例えば２本のＬＥＤ６１，６２、操作スイッチ５７を構成するタクトスイッチ６４が実装され、更にスペーサ６５を介して表面シート６６が貼り付けられている。スペーサ６５には、ＬＥＤ６１，６２の光を拡散する半透明な拡散部材６８及びタクトスイッチ６４を押すコマ６９がそれぞれ入る大きさの穴７０，７１が設けられている。拡散部材６８にＬＥＤ６１，６２が収容される構造、ＬＥＤ表示部５９の動作については、前記第一の実施の形態の場合と同様である。更に、表面シート６６には、拡散部材６８によって均一にされたＬＥＤ６１，６２の照明光が透過できる透明部７２（図６中の符号５９により示す部分に相当する）がはめこまれており、装置の内部動作の状況を表す発光状態を外部から視認できるようにしている。また、表面シート６６には、コマ６９に沿って盛り上がったエンボス部７３（図６中の符号５７により示す部分に相当する）が形成されている。このエンボス部７３は、押されると、それに連動してコマ６９が動いてタクトスイッチ６４が押される構造になっている。
【００１４】
このように構成された筺体４２においては、冷却ファン５３の作動により、筺体４２の外部の空気が吸気用ダクト４６から筺体４２内に導入されて冷却風として、発熱源となる諸要素５１を冷却する。その後、冷却風は排気用ダクト４８から筺体２の外部に排出される。既に述べたように、吸気用ダクト４６と排気用ダクト４８は非対称に配置されているので、冷却風の流れは冷却ファン５３の正面方向だけでなく、図９中の矢印Ｗによって示すように、筺体を斜め方向にも横断することとなり、且つ、この実施の形態においては、２つの吸気用ダクト４６に対して３つの排気用ダクト４８が非対称に設けられているので、冷却風は、斜め方向の流れの交差が増えることによって撹拌度がより高くなり筺体４２内をより広範囲に満遍なく流れて、前記諸要素５１に対する冷却効果がより均一になり、より広範囲の冷却が行われる。従って、発熱源となる諸要素５１を従来よりも更に自由な形で分散配置することができるほか、部品点数がより増加した場合にも対応でき、そのため、医療装置を従来より小型化できることになる。
【００１５】
一方、この実施の形態においても、ＬＥＤ表示部５９を前述のように構成したことにより、装置内の多くの動作に対応した表示を従来より少ない表示部（ここでは一つの表示部）で行うことができ、しかも、表示部が少なくなって分かりやすくなったので、使用者が一目見て直ちに且つ容易に装置内の動作状態を知ることができる。更に、ＬＥＤ表示部５９は、第一の実施の形態よりスイッチ５７の近傍に設けたので、スイッチ５７を操作する際に、使用者の視野に入りやすくなって、スイッチ操作をしやすくなる。また、このＬＥＤ表示部５９は操作パネル５８自体に一体的に設けるようにしたことにより、フロントパネル４３に改めて組みつける作業を省くことができるので、製造コストを下げることができる。
【００１６】
（付記１）  筐体と、あらかじめ設定された複数の動作を実行可能で前記筐体の内部に設けられた動作部と、この動作部の第１の動作に応じて、それぞれ個別に又は同時に点灯可能に構成された前記筐体の内部に設けられた異なる色調を有する複数の発光素子と、前記動作部の第２の動作に応じて、同時に発光させた前記複数の発光素子からの光を混色して前記筐体の外部へ向けて表示可能に構成された表示部と、を具備したことを特徴とする医療装置用の筐体。
【００１７】
（付記２）  前記複数の発光素子は、それぞれ単色のＬＥＤ素子であることを特徴とする付記１に記載の医療装置用の筐体。
【００１８】
【発明の効果】
本発明に係る医療装置用の筺体は以上述べたように構成したことにより、簡単な構造でありながら、内部に冷却風が全体的に満遍なく流れて発熱源が均一に冷却されるので、発熱源となる部品等を自由な位置に配置することができるようになって、設計の自由度が高まり、従って、医療装置の小型化をも可能にするという効果を奏するものである。
【図面の簡単な説明】
【図１】本発明の第一の実施の形態における医療装置用の筺体を概念的に示す斜視図である。
【図２】同上筺体の概念的な右側面図である。
【図３】同上筺体の概念的な左側面図である。
【図４】同上筺体の上壁を除いた状態を概念的に示す平面図である。
【図５】同上筺体におけるＬＥＤ表示部の概念的な拡大断面図である。
【図６】本発明の第二の実施の形態における医療装置用の筺体を概念的に示す斜視図である。
【図７】同上筺体の概念的な右側面図である。
【図８】同上筺体の概念的な左側面図である。
【図９】同上筺体の上壁を除いた状態を概念的に示す平面図である。
【図１０】同上筺体におけるＬＥＤ表示部の概念的な拡大断面図である。
【図１１】従来の筺体の上壁を除いた状態を概念的に示す平面図である。
【符号の説明】
１，４１  光源装置
２，４２  筺体
４，７，４４，４７  側壁
６，４６  吸気用ダクト
８，４８  排気用ダクト
Ｊ，Ｋ，Ｍ，Ｎ  距離
【図１】
2004350728.tif 000003
【図２】
2004350728.tif 000004
【図３】
2004350728.tif 000005
【図４】
2004350728.tif 000006
【図５】
2004350728.tif 000007
【図６】
2004350728.tif 000008
【図７】
2004350728.tif 000009
【図８】
2004350728.tif 000010
【図９】
2004350728.tif 000011
【図１０】
2004350728.tif 000012
【図１１】
2004350728.tif 000013